(57)【要約】【課題】本発明は一組のキットで種々な体形、体位に対応出来る膝付き体位支持具を提供することを課題とする。【解決手段】膝付き体位支持具の支持本体１に第１斜面部材２、第２斜面部材３、脚間ブロック４、三角ブロック５、頭部支持部材６、等を選択的に取付ける。【選択図】    図１９
2008054820.tif 000002
【特許請求の範囲】
【請求項１】
人体支持面の両側に沿って弯曲面を有する保持側壁部を屹立せしめ、該人体支持面上端から続いて前下方に傾斜する傾斜前面を設けた支持本体部材と、
上面が傾斜面であり側面形状三角形の本体と該本体後縁から突設される突出部とからなる第１斜面部材と、
上面が傾斜面であり側面形状三角形の第２斜面部材と、脚間ブロックと、該脚間部材両側に配置され側面形状三角形の三角ブロックの一対と、側面形状扇形の頭部支持部材とからなり、
該支持本体と該第１斜面部材、該第１斜面部材と該第２斜面部材、該脚間ブロックと該三角ブロック、該支持本体の傾斜前面と該頭部支持部材とは解離可能な結合手段によって相互結合可能であり、各部材およびブロックは弾性体からなることを特徴とする膝付き体位支持具キット。
【請求項２】
請求項１に記載のキットに更に該支持本体に着脱可能に取付けられる安全ベルトおよび胸当てパットを追加したことを特徴とする膝付き体位支持具キット。
【発明の詳細な説明】
【技術分野】
【０００１】
本発明は主として子供が使用する膝付き体位支持具キットに関するものである。
【背景技術】
【０００２】
従来、例えば特許文献１に記載のように大人用チェアーの座面に載せることによって、子供を座らせることを可能とする子供用折畳み式腰掛けが提供されている。
一方、例えば特許文献２に記載のように、子供のみが使用するための子供用椅子が提供されている。
【０００３】
【特許文献１】特開平１１−１４６８２２号公報
【特許文献２】特開２００４−３３７４０９号公報
【発明の開示】
【発明が解決しようとする課題】
【０００４】
しかし上記クッションは一つのもので膝付き体位、俯せ体位等種々の体位に適用することが出来ない、と云う問題がある。
【課題を解決するための手段】
【０００５】
本発明は一つのキットで種々の体位に適用出来るようにすることを目的とし、
人体支持面１１の両側に沿って弯曲面１２Ａを有する保持側壁部１２を屹立せしめ、該人体支持面１１上端から続いて前下方に傾斜する傾斜前面１３を設けた支持本体部材１と、
上面が傾斜面２１Ａであり側面形状三角形の本体２１と該本体後縁から突設される突出部２２とからなる第１斜面部材２と、
上面が傾斜面３１であり側面形状三角形の第２斜面部材３と、脚間ブロック４と、該脚間部材４両側に配置され側面形状三角形の三角ブロックの一対５，５と、側面形状扇形の頭部支持部材６とからなり、
該支持本体１と該第１斜面部材２、該第１斜面部材２と該第２斜面部材３、該脚間ブロック４と該三角ブロック５、該支持本体１の傾斜前面１３と該頭部支持部材６とは解離可能な結合手段によって相互結合可能であり、各部材およびブロックは弾性体からなることを特徴とする膝付き体位支持具キット、
あるいは上記キットに更に該支持本体１に着脱可能に取付けられる安全ベルト８および胸当てパット７を追加したことを特徴とする膝付き体位支持具キットを提供するものである。
【発明の効果】
【０００６】
本発明のキットにあっては、使用者が支持本体部材１の保持側壁部１２間の人体支持面１１に膝を付いてもたれたり、あるいは反対側の傾斜前面に膝を付いてもたれたり、その場合には該保持側壁部１２の上端弯曲面１２Ａを床に付けてロッキング可能にしたりすることが出来る。
【０００７】
また俯せ体位をとる時には、第１斜面部材２、望ましくは第１斜面部材２と第２斜面部材３とを重ねて使用者の脚部を載せる。
【０００８】
更に頭部支持部材６を該支持本体部材１の傾斜前面に取付ければ、該人体支持面１１にもたれた使用者の頭あるいは腕を支持することが出来、また更に脚間ブロック４を脚間に折入したり、三角ブロック５の一対で両脚を支持すると安定した姿勢を保つことが出来る。
【０００９】
また安全ベルト８を該支持本体１に取付ければ、使用者の体を該支持本体１に安全に保持することが出来、胸当てパット７を胸に当てれば、俯せになっても使用者の胸が圧迫されない。
【発明を実施するための最良の形態】
【００１０】
本発明を図１〜図２１に示す一実施例によって以下に詳細に説明する。
図１、図２に示すのは支持本体部材１であって、背部に前上方に傾斜する人体支持面１１が設定され、該人体支持面１１の両側に沿って弯曲面１２Ａを有する保持側壁部１２が屹立されており、前部には該人体支持面１１の上端から続いて前下方に傾斜する傾斜前面１３およびそれに続く垂直前面１４が設けられている。
更に該人体支持面１１には長さ調節可能なＴ字状安全ベルト１５が着脱可能に取付けられており、該人体支持面１１下端中央部、該保持側壁部１２の下端、該傾斜前面１３の上端中央部、および該垂直前面１４の下端中央部にはそれぞれマジックファスナー１６Ａ，１６Ｂ，１６Ｃ，１６Ｄ（メス）が取付けられ、安全ベルトを取付けるために両側面上部には二つ折りマジックファスナー１６Ｅ、垂直前面両端には二つ折りマジックファスナー１６Ｆが取付けられている。
【００１１】
図３、図４に示すのは第１斜面部材２であって、上面２１Ａが傾斜面である側面形状三角形の本体２１と、該本体２１後縁から突設される突出部２２とからなり、該本体上面２１Ａには左右一対のテーパー状マジックファスナー２３Ａ（メス）、該突出部上面および背面、該本体２１背面両端部にはマジックファスナー２３Ｂ（メス）、２３Ｃ（オス）、２３Ｄ（オス）、２３Ｄ（オス）が取付けられている。
【００１２】
図５に示すのは第２斜面部材３であって、上面が傾斜面３１である側面形状三角形を有している。
【００１３】
図６に示すのは直方体状の脚間ブロック４と一対の側面形状三角形の三角ブロック５であり、該一対の三角ブロック５はマジックファスナー４１，５１によって該脚間ブロック４の両側に着脱可能に取付けられており、該脚間ブロック４の前面には本体部材取付用マジックファスナー４２（オス）が取付けられている。
【００１４】
図７、図８に示すのは頭部支持部材６であって、傾斜面６１と円弧面６２とを有し、裏面には上下一対のマジックファスナー６３Ａ，６３Ｂ（オス）が取付けられている。
【００１５】
図９に示すのは一対の胸当てパット７，７であり、図１０に示すのは一対の安全ベルト８，８であり、それぞれ中央部で左右ベルト部分８１，８２がマジックファスナー（図示せず）で結合されることによって長さ調節可能とされ、両端には本体取付用のマジックファスナー８３Ａ，８３Ｂが取付けられている。
上記部材やブロックは例えばポリウレタン発泡体のような弾性芯材と、該芯材を被覆する表皮材とからなる。
【００１６】
図１１〜図１３に示すのは膝付き体位用の通常組合せであり、まず脚間ブロック４の両側に三角ブロック５，５を固定してから本体部材１の両保持側壁部１２，１２間下端に挿入して該脚間ブロック４を該本体部材１に固定する。
そして使用者（子供Ｃ）は該両保持側壁部１２，１２間に前向きに入って体を人体支持面１１に寄りかからせ、膝をついて両脚を三角ブロック５，５上に支持させ、安全ベルト１５を締める。
なお図１３に示すように該本体部材１の傾斜前面１３には傾斜面６１を上向きにして頭部支持部材６を取付け、子供Ｃの胸部および頭部を支持する。更に胸部に胸当てパット７を当てる。
【００１７】
図１４に示すのは上記逆向き組合せであって、該本体部材１の傾斜前面１３に子供Ｃが前向きに寄りかかり、子供Ｃの両脇に三角ブロック５，５を配置して子供Ｃの体と共に本体部材１に取付けた安全ベルト８，８で固定する。
なお上側の安全ベルト８を本体部材１に取付けるには、図１５に示すように該本体部材１の上部の二つ折りマジックファスナー１６Ｅを用いて、その両方に該安全ベルト８のマジックファスナー８３Ａまたは８３Ｂを係合し、下側の安全ベルト８を本体部材１に取付けるには、図１６に示すように該本体部材１の下部の二つ折りマジックファスナー１６Ｆを用いて、その両方に該安全ベルト８のマジックファスナー８３Ａまたは８３Ｂを係合することによって、安全ベルト８，８の取り付け強度を高める。
【００１８】
図１７〜図１９には他の組合せが示される。
この組合せにおいては、図１７に示すように第１斜面部材２と第２斜面部材３とを互い違いに組合せ、第１斜面部材２の突出部２２を該本体部材１の両側壁部１２の下部に挿込んでマジックファスナー１６Ａ，２３Ｃ，１６Ｂ，２３Ｄの係合によって固定する。
更に脚間ブロック４の両側に三角ブロック５，５を固定して該第１斜面部材２上面前寄りにマジックファスナーによって固定する。
また更に該本体部材１の傾斜前面１３には円弧面６２を上向きにして頭部支持部材６を取付ける。
この組合せでは子供Ｃは本体部材１の両保持側壁部１２，１２間に前向きに入って膝を付き、体を人体支持面１１に寄りかからせ、脚間に脚間ブロック４をはさむと共に三角ブロック５，５上に脚を支持し、頭部を頭部支持部材６の円弧面６２にもたせかける。なお子供Ｃの体は安全ベルト８、１５によって保持される。
【００１９】
図２０、図２１に示すのはロッキング組合せであり、この組合せでは本体部材１の傾斜前面１３に傾斜面６１を上向きにして頭部支持部材６を取付け、該本体部材１を前側に倒して子供Ｃは該本体部材１の垂直前面１４に上半身を寄りかからせ、頭部は該頭部支持部材６の傾斜面６１に支持する。
そして体を安全ベルト８で固定し、該本体部材１の両保持側壁部１２の弯曲面１２Ａを床Ｆに接触させる。そうすれば該弯曲面１２Ａを介して該本体部材１を矢印に示すように前後にロッキングさせることが出来る。
【産業上の利用可能性】
【００２０】
本発明のキットは一組で種々な体形、体位に適用出来るから、産業上利用可能である。
【図面の簡単な説明】
【００２１】
図１〜図２１は本発明の一実施例を示す。
【図１】支持本体部材の背面側斜視図
【図２】支持本体部材の前面側斜視図
【図３】第１斜面部材の先端側斜視図
【図４】第１斜面部材の根端側斜視図
【図５】第２斜面部材の斜視図
【図６】脚間ブロックと三角ブロックの斜視図
【図７】頭部支持部材の表側斜視図
【図８】頭部支持部材の裏側斜視図
【図９】胸当てパットの斜視図
【図１０】安全ベルトの平面図
【図１１】膝付き体位用通常組合わせ状態の背面側斜視図
【図１２】通常組合せにおける使用状態の背面側斜視図
【図１３】通常組合せにおける使用状態の前面側斜視図
【図１４】逆向き組合せ状態の前面側斜視図
【図１５】上側安全ベルト取付け部分説明図
【図１６】下側安全ベルト取付け部分説明図
【図１７】通常組合せ状態のバリエーションの背面側斜視図
【図１８】該バリエーションにおける使用状態の前面側斜視図
【図１９】該バリエーションにおける使用状態の背面側斜視図
【図２０】ロッキング可能な組合せの側方斜視図
【図２１】ロッキング状態を示す側方斜視図
【符号の説明】
【００２２】
１      支持本体部材
２      第１斜面部材
３      第２斜面部材
４      脚間ブロック
５      三角ブロック
６      頭部支持部材
７      胸当てパット
８      安全ベルト
【図１】
2008054820.tif 000003
【図２】
2008054820.tif 000004
【図３】
2008054820.tif 000005
【図４】
2008054820.tif 000006
【図５】
2008054820.tif 000007
【図６】
2008054820.tif 000008
【図７】
2008054820.tif 000009
【図８】
2008054820.tif 000010
【図９】
2008054820.tif 000011
【図１０】
2008054820.tif 000012
【図１１】
2008054820.tif 000013
【図１２】
2008054820.tif 000014
【図１３】
2008054820.tif 000015
【図１４】
2008054820.tif 000016
【図１５】
2008054820.tif 000017
【図１６】
2008054820.tif 000018
【図１７】
2008054820.tif 000019
【図１８】
2008054820.tif 000020
【図１９】
2008054820.tif 000021
【図２０】
2008054820.tif 000022
【図２１】
2008054820.tif 000023